(57)【要約】      （修正有）【課題】エアフィルターの自動清掃が可能で、コンパクトな空気調和機を提供すること。【解決手段】エアフィルター２を支持するフィルターワク１と、移動可能な吸引ノズル３と、吸引装置６とを備え、前記吸引ノズル３と吸引装置６とを屈曲自在な吸引ダクト５で連結し、前記吸引ダクト５に沿って設けた帯状の鋼板１９とから成るフィルター装置３１を空気調和機に備えることにより、エアフィルター２に付着した塵埃を自動清掃できるコンパクトな空気調和機が提供できる。【選択図】図１
2006284045.tif 000002
【特許請求の範囲】
【請求項１】
熱交換器を通過する空気の塵埃を除去するエアフィルターと、前記エアフィルターを支持するワクと、移動可能な吸引ノズルと、吸引装置から成るフィルター装置において、前記吸引ノズルと前記吸引装置とを、屈曲自在なダクトで連結し、前記ダクトに沿って帯状の屈曲自在な板を設けたことを特徴とする空気調和機のフィルター装置。
【請求項２】
前記フィルター装置において、前記吸引ノズルと前記吸引装置とを断面形状が四角形の屈曲自在なダクトで連結したことを特徴とする空気調和機のフィルター装置。
【請求項３】
前記フィルター装置において、前記吸引ノズルと前記吸引装置とを断面形状が四角形の屈曲自在なダクトで連結し、前記ダクトに沿って帯状の屈曲自在な板を設けたことを特徴とする請求項２記載の空気調和機のフィルター装置。
【請求項４】
前記フィルター装置において、前記ダクトと前記帯状の板に沿って電線を引き回したことを特徴とする請求項１または３記載の空気調和機のフィルター装置。
【請求項５】
前記請求項１から４のいずれかのフィルター装置を備えた空気調和機。
【発明の詳細な説明】
【技術分野】
【０００１】
本発明は、エアフィルターの清掃を自動的に行うようにした空気調和機のフィルター装置に関するものである。
【背景技術】
【０００２】
従来の空気調和機のフィルター装置は、熱交換器の前面に、空気調和機の本体内部へ埃が侵入することを防ぐためのエアフィルターが設けられており、このエアフィルターは付着した塵埃を手で清掃できるように着脱自在に構成されている。こうした構成でのフィルター装置は頻繁なメンテナンスが必要となるだけでなく、メンテナンスが行われるまでの間にはエアフィルターが徐々に目詰まりしていき、その結果、熱交換器を通過する風量が低下し、空調能力が低下して消費電力の増大につながることとなる。
【０００３】
このため、フィルターのメンテナンスの手間を低減する目的で、特許文献１のようにエアフィルターに付着した塵埃をブラシにて定期的に清掃する自動清掃装置が考案されている。
【特許文献１】特開２００４−１０１１０１号公報
【発明の開示】
【発明が解決しようとする課題】
【０００４】
しかしながら、上記従来技術では、ある程度の時間が経過したらブラシで掻き落として集めた塵埃を処理しなくてはならずメンテナンスの手間が大幅に軽減されるものではなかった。また、エアフィルターを往復移動させるためのスペースが必要であり、空気調和機のコンパクト化が容易ではなかった。こうした観点からエアフィルターの自動清掃装置としてはエアフィルターに付着した塵埃を吸引清掃し、吸引された塵埃を集塵装置に集塵もしくは室外へ排出する清掃方法が、コンパクトな構成でできることが好ましい。
【０００５】
本発明の空気調和機のフィルター装置は、エアフィルターに付着した塵埃の自動清掃を可能にして、空気調和機のメンテナンス性向上と性能維持、および電気代の節約がコンパクトな構成で可能とすることを目的とする。
【課題を解決するための手段】
【０００６】
前記課題を解決するため本発明は、熱交換器を通過する空気の塵埃を除去するエアフィルターと、前記エアフィルターを支持するワクと、移動可能な吸引ノズルと、吸引装置から成り、前記吸引ノズルと前記吸引装置とを、屈曲自在なダクトで連結し、前記ダクトに沿って帯状の屈曲自在な板を設けたフィルター装置を空気調和機に提供するものである。
【０００７】
これによって、エアフィルターの吸引清掃を自動的に行うことが、コンパクトな構成で可能となる。
【発明の効果】
【０００８】
本発明の空気調和機のフィルター装置は、エアフィルターに付着した塵埃の自動清掃を可能にして、空気調和機のメンテナンス性向上と性能維持、および電気代の節約がコンパクトな構成で可能となる。
【発明を実施するための最良の形態】
【０００９】
第１の発明は、熱交換器を通過する空気の塵埃を除去するエアフィルターと、前記エアフィルターを支持するワクと、移動可能な吸引ノズルと、吸引装置から成るフィルター装
置において、前記吸引ノズルと前記吸引装置とを、屈曲自在なダクトで連結し、前記ダクトに沿って帯状の屈曲自在な板を設けることにより、ダクト屈曲部の脹らみを抑え最小半径で屈曲させることができるため、ダクト屈曲部をコンパクトに構成できるフィルター装置が提供できる。このため、エアフィルターの自動清掃化が可能となるとともに、空気調和機の小型化が図れる。
【００１０】
第２の発明は、特に、第１の発明のフィルター装置において、前記吸引ノズルと前記吸引装置とを、断面形状が四角形の屈曲自在なダクトで連結したことにより、断面積が同じ円形のダクトよりも、断面の縦もしくは横方向の寸法を縮小できるため、ダクト構成部のサイズが低減でき、フィルター装置の小型化が図れる。
【００１１】
第３の発明は、特に、第２の発明のフィルター装置において、前記ダクトに沿って帯状の屈曲自在な板を設けたもので、この構成により、ダクト屈曲部の脹らみを抑え、最小半径で屈曲させることができるため、ダクト屈曲部を更にコンパクト化でき、フィルター装置の小型化が図れる。
【００１２】
第４の発明は、特に、第１または３の発明のフィルター装置において、前記ダクトと前記帯状の鋼板に沿って電線を引き回したもので、移動する吸引ノズルに、安定した電源を供給することが可能となる。
【００１３】
第５の発明は、特に、第１から４の発明のいずれかのフィルター装置を空気調和機に備えたもので、これにより、空気調和機のコンパクト化を図りつつ、エアフィルターに付着した塵埃の自動吸引清掃が可能となる。
【００１４】
以下、本発明の実施の形態について、図面を参照しながら説明する。なお、この実施の形態によって本発明が限定されるものではない。
【００１５】
（実施の形態１）
図１は本発明の実施の形態１における空気調和機のフィルター装置の斜視図、図２は本発明の実施の形態１における吸引ノズルの斜視図、図３は本発明の実施の形態１における吸引ノズルの断面図であり、具体的には図２のＡ−Ａ断面図である。
【００１６】
図１において熱交換器を通過する空気の塵埃を除去するエアフィルター２は、フィルターワク１に支持固定され、エアフィルター２の表面に沿って移動可能な吸引ノズル３が設けられる。吸引ノズル３はフィルターワク１の上下端に設置されたガイドレール４により支持されて、エアフィルター２と極めて狭い隙間を保って円滑に左右に移動することができ、エアフィルター上に付着した塵埃はこの吸引ノズル３より吸引される。ここで、吸引ノズル３は、フィルターワク１の下部に備えたワイヤーとモータ（図示せず）で左右に駆動される。
【００１７】
そして、吸引ノズル３には吸引ダクト５が連結され、吸引ダクト５は吸引装置６に連結される。ここで、吸引ダクト５は吸引ノズル３の移動に差し支えないように、屈曲自在なダクトで形成され、この吸引ダクト５に沿って帯状の鋼板１９を設けている。さらに、吸引装置６には排気ダクト７が連結され、室外へ引き回される。
【００１８】
また、吸引ノズル３は、図３に示すように、吸引した風の流通路を構成するノズル８と、ノズル８を囲むように設けられたフィルム９と、フィルム９を支持して駆動力を伝えるギヤ１４と、フィルム９を支持して円滑に駆動させるためのローラー１５ａ、１５ｂ、１５ｃから構成される。ノズル８のエアフィルター側の面には、エアフィルター２の縦長さに相当する長さでスリット状のノズル開口部１０が設けてある。一方、フィルム９はルー
プ状に形成され、ノズル開口部１０を覆うようにノズル８の外周に巻き付けられ、エアフィルター側の面は、ノズル開口部１０に相当する開口部１６が設けられた、フィルムガイド１７で支持されている。そして、図２に示すように、フィルム９にはスリット状の吸引孔１１が設けてあり、吸引孔１１の位置がノズル開口部１０に相対する位置に取り付けられている。フィルム９の両端には等間隔の駆動穴が設けられており、ステッピングモータ１３を連結したギヤ１４が、駆動穴１２に噛み合わさることによってフィルム９は上下方向のいずれにも自在に駆動できるようになっている。
【００１９】
以上のような構成により、吸引装置６によって吸引される風量は吸引孔１１に絞られて集中することとなるので、少ない風量でも吸引孔１１部分では強い風速を発生させることが可能となる。すなわち、小出力で強い吸引力を発揮することが可能となる。この強い吸引力で吸引されたエアフィルター上の塵埃は、吸引孔１１からノズル開口部１０を経てノズル８内部に入り、さらに吸引ダクト５、吸引装置６、排気ダクト７を経由して室外へ排出される。そして、吸引ノズル３を左右に駆動する毎に、フィルム９に設けた吸引孔１１を可変させることで、エアフィルター全面を吸引清掃することが可能となる。
【００２０】
また、吸引ダクト５は、吸引ダクト５に沿って帯状の鋼板１９を設けているため、ダクト屈曲部の脹らみを抑え、最小半径で曲げることが可能となる。このため、吸引ダクト５の屈曲構成部分を小型化することが可能となり、コンパクトなフィルター装置３１を提供することができる。
【００２１】
尚、本発明の実施例においては、吸引ダクト５に沿って設けた帯状の板として鋼材を用いたが、屈曲自在な特性をもつ材質であれば、いずれを用いてもかまわない。
【００２２】
（実施の形態２）
図４は本発明の実施の形態２におけるフィルター装置の斜視図である。
【００２３】
以下の説明において、実施の形態１の説明と重複するフィルター装置３１の構成、動作に関する説明は省略する。
【００２４】
図４に示すように、吸引ノズル３と吸引装置６とを、断面形状が四角形の屈曲自在な吸引ダクト５で連結したものである。
【００２５】
このような構成をとることにより、断面積が同じ円形のダクトよりも、断面の縦もしくは横方向の寸法を縮小することができるため、ダクト構成部のサイズが低減でき、フィルター装置３１の小型化が図れる。
【００２６】
（実施の形態３）
図５は、本発明の実施の形態３におけるフィルター装置の構成を示した斜視図である。
【００２７】
以下の説明において、実施の形態１、２と重複する説明は省略する。
【００２８】
図５に示すように、吸引ノズル３と吸引装置６とを、断面形状が四角形の屈曲自在な吸引ダクト５で連結し、この吸引ダクト５に沿って屈曲自在な帯状の鋼板１９を設けたものである。
【００２９】
このような構成をとることにより、ダクト屈曲部の脹らみを抑え、吸引ダクト５を最小半径で曲げることができるため、吸引ダクト５の屈曲構成部分を小型化することが可能となり、さらにコンパクトなフィルター装置３１を提供することができる。
【００３０】
（実施の形態４）
図６は、本発明の実施の形態４におけるフィルター装置の構成を示した断面図であり、特に、図５のＢ−Ｂ断面図である。
【００３１】
以下の説明において、実施の形態１、２、３と重複する説明は省略する。
【００３２】
図６に示すように、吸引ダクト５と鋼板１９の間に、吸引ダクト５に沿って電線２０を引き回したものである。
【００３３】
このような構成をとることにより、電線２０はノズルの駆動中に吸引ダクト５に沿って、従順な屈曲移動が可能となるため、吸引ノズル３に設けたステッピングモータ１３に安定した電源供給をすることが可能となる。
【００３４】
（実施の形態５）
図７は、本発明の実施の形態５における空気調和機の構成を示した断面図である。
【００３５】
図７に示すように、空気調和機の本体２６の内部には熱交換器２２が設けられ、空気の流路となる風流路２５が形成されている。この風流路２５内にはファン２３が配設され、本体２６の前面から上面に渡り形成される吸込口２１から吸い込み、吹出口２４から吹出す空気の流れを発生させている。そして、実施の形態１から４で述べたいずれかのフィルター装置３１を、本体２６の前面から上面に渡り形成される吸込口２１と熱交換器２２の間にＬ字型の形状で配設している。
【００３６】
このような構成をとることにより、吸込口２１から吸込まれた空気に含まれる塵埃はフィルター装置３１で集塵されるため、熱交換器２２へ塵埃が付着し、性能低下を引き起こすことを防ぐことができ、電気代が節約できる。また、実施の形態１で述べたように、フィルター装置３１で集塵した塵埃は自動的に清掃処理されるため、メンテナンス性に優れた空気調和機が提供できる。さらに、実施の形態１から４で述べたように、フィルター装置３１は小型化が可能であり、コンパクトな空気調和機が提供できる。
【産業上の利用可能性】
【００３７】
以上のように、本発明にかかる空気調和機のフィルター装置は、エアフィルターに付着した塵埃を自動で清掃できるため、空気清浄機など空気中の塵埃を集塵するエアフィルターを装着した機器にも適用できる。
【図面の簡単な説明】
【００３８】
【図１】本発明の実施の形態１におけるフィルター装置の斜視図
【図２】本発明の実施の形態１における吸引ノズルの斜視図
【図３】本発明の実施の形態１における吸引ノズルの断面図であり図２のＡ−Ａ断面図
【図４】本発明の実施の形態２におけるフィルター装置の斜視図
【図５】本発明の実施の形態３におけるフィルター装置の斜視図
【図６】本発明の実施の形態４におけるフィルター装置の図５のＢ−Ｂ断面図
【図７】本発明の実施の形態５における空気調和機の断面図
【符号の説明】
【００３９】
１  フィルターワク
２  エアフィルター
３  吸引ノズル
４  ガイドレール
５  吸引ダクト
６  吸引装置
７  排気ダクト
８  ノズル
９  フィルム
１０  ノズル開口部
１１  吸引孔
１２  駆動穴
１３  ステッピングモータ
１４  ギヤ
１５ａ  ローラー
１５ｂ  ローラー
１５ｃ  ローラー
１６  開口部
１７  フィルムガイド
１９  鋼板
２０  電線
２１  吸込口
２２  熱交換器
２３  ファン
２４  吹出口
２５  風流路
２６  本体
３１  フィルター装置
【図１】
2006284045.tif 000003
【図２】
2006284045.tif 000004
【図３】
2006284045.tif 000005
【図４】
2006284045.tif 000006
【図５】
2006284045.tif 000007
【図６】
2006284045.tif 000008
【図７】
2006284045.tif 000009